(57)【特許請求の範囲】
【請求項１】
車両に装着されて使用された結果、前記車両から取り外された複数本数の使用済タイヤの外観状態に基づいて決定された前記使用済タイヤの診断結果を含む使用済タイヤデータベースと、
前記車両または前記車両と同一環境で使用される車両に装着されている複数本数の使用中タイヤの外観状態に基づいて決定された前記使用中タイヤの診断結果を取得する使用中タイヤ状態取得部と、
前記使用済タイヤの診断結果と、前記使用済タイヤの診断結果に対応した対応策とが関連付けられた対応策データベースと、
前記使用済タイヤデータベースに含まれる前記使用済タイヤの診断結果と、前記使用中タイヤ状態取得部によって取得された前記使用中タイヤの診断結果とが一致するか否かを判定するタイヤ状態判定部と、
前記使用済タイヤの診断結果と前記使用中タイヤの診断結果とが前記タイヤ状態判定部によって一致すると判定された場合、前記対応策データベースに基づいて、前記使用済タイヤの診断結果と関連付けられている前記対応策を決定する対応策決定部と、
前記対応策決定部によって決定された前記対応策を出力する対応策出力部と
を備えるタイヤ管理装置。
【請求項２】
前記対応策データベースでは、前記使用済タイヤの診断結果及び前記使用中タイヤの診断結果と、前記使用中タイヤの寿命を短くする原因と、前記原因に対応した対応策とが関連付けられ、
前記タイヤ状態判定部は、前記対応策データベースに基づいて、前記使用済タイヤの診断結果と前記使用中タイヤの診断結果とから前記原因を判定する請求項１に記載のタイヤ管理装置。
【請求項３】
前記使用中タイヤ状態取得部は、前記使用中タイヤの使用条件を取得し、
前記タイヤ状態判定部は、前記使用済タイヤの診断結果と、前記使用中タイヤの診断結果と、前記使用条件とに基づいて、前記原因を判定する請求項２に記載のタイヤ管理装置。
【請求項４】
車両に装着されて使用された結果、使用限界と判断された複数本数の使用済タイヤの外観状態に基づいて決定された前記使用済タイヤの診断結果を取得する処理と、
前記車両と同一環境で使用される車両に装着されている複数本数の使用中タイヤの外観状態に基づいて決定された前記使用中タイヤの診断結果を取得する処理と、
前記使用済タイヤの診断結果と、前記使用済タイヤの診断結果に対応した対応策とが関連付けられた使用済タイヤデータベースに含まれる前記使用済タイヤの診断結果と、取得された前記使用中タイヤの診断結果とに基づいて、前記使用済タイヤの診断結果と、前記使用中タイヤの診断結果とが一致するか否かを判定する処理と、
前記使用済タイヤの診断結果と前記使用中タイヤの診断結果とが前記タイヤ状態判定部によって一致すると判定された場合、前記対応策データベースに基づいて、前記使用済タイヤの診断結果と関連付けられている前記対応策を決定する処理と、
決定された前記対応策を出力する処理と
をコンピュータに実行させるタイヤ管理プログラム。
【発明の詳細な説明】
【技術分野】
【０００１】
本発明は、自動車などの車両に装着される空気入りタイヤを管理するタイヤ管理装置及びタイヤ管理プログラムに関する。
【背景技術】
【０００２】
自動車などの車両に装着される空気入りタイヤ（以下、タイヤと適宜省略する）では、偏摩耗を抑制することが寿命を延ばすために重要である。そこで、スキャナで読み取ったタイヤの外形形状に基づいて、タイヤの摩耗状態を判定するタイヤ管理装置が知られている（特許文献１参照）。
【０００３】
また、この偏摩耗管理装置は、タイヤの偏摩耗の種類に応じた対応策、例えば、適正内圧の維持・管理やタイヤ装着位置の交換（タイヤローテーション）を提示することもできる。このため、タイヤの販売店の作業者や車両の使用者は、格別な知識や経験がなくともタイヤの寿命を延ばすために有効な対応策を講じることができる。
【先行技術文献】
【特許文献】
【０００４】
【特許文献１】特許第４２９０４０６号公報（第６−７頁、第３図）
【発明の概要】
【発明が解決しようとする課題】
【０００５】
ところで、運輸業者などでは、近年の競争の激化や地球環境への配慮の高まりに伴って、運輸業者が業務で使用するトラックやバスに装着される多数のタイヤについて、寿命を延ばすための包括的な対応策、つまり、当該多数のタイヤに共通するような対応策の提示が求められている。
【０００６】
しかしながら、上述した従来のタイヤ管理装置は、基本的に車両に装着されているタイヤの摩耗状態を判定し、そのタイヤの寿命を延ばすための対応策が提示されるのみであるため、上述のような包括的な対応策の提示には適さない問題がある。
【０００７】
そこで、本発明は、このような状況に鑑みてなされたものであり、運輸業者の車両など、多数のタイヤがほぼ同一の環境下において使用される場合において、タイヤの寿命を延ばすために当該タイヤに共通な対応策を提示できるタイヤ管理装置及びタイヤ管理プログラムの提供を目的とする。
【課題を解決するための手段】
【０００８】
本発明に係るタイヤ管理装置（タイヤ管理装置２００）は、車両（例えば、車両３１）に装着されて使用された結果、前記車両から取り外された複数本数の使用済タイヤ（使用済タイヤ１０）の外観状態に基づいて決定された前記使用済タイヤの診断結果を含む使用済タイヤデータベース（使用済タイヤＤＢ２０７）と、前記車両または前記車両と同一環境で使用される車両（例えば、車両３２）に装着されている複数本数の使用中タイヤ（使用中タイヤ２０）の外観状態に基づいて、前記使用中タイヤの診断結果を取得する使用中タイヤ状態取得部（使用中タイヤ状態取得部２０３）と、前記使用済タイヤの診断結果と、前記使用済タイヤの診断結果に対応した対応策とが関連付けられた対応策データベース（対応策ＤＢ２１１）と、前記使用済タイヤデータベースに含まれる前記使用済タイヤの診断結果と、前記使用中タイヤ状態取得部によって取得された前記使用中タイヤの診断結果とが一致するか否かを判定するタイヤ状態判定部（タイヤ状態判定部２０９）と、前記使用済タイヤの診断結果と前記使用中タイヤの診断結果とが前記タイヤ状態判定部によって一致すると判定された場合、前記対応策データベースに基づいて、前記使用済タイヤの診断結果と関連付けられている前記対応策を決定する対応策決定部（対応策決定部２１３）と、前記対応策決定部によって決定された前記対応策を出力する対応策出力部（対応策出力部２１５）とを備える。
【０００９】
なお、使用済タイヤ及び使用中タイヤの診断結果は、偏摩耗の状態（センター摩耗、肩落ち摩耗、ヒール＆トゥ摩耗など）及びトレッド部の外傷の有無を含む。さらに、使用済タイヤの診断結果は、プライエンドのセパレーションの有無、及びビードの食い込み、倒れ込みを含む。また、対応策は、内圧の管理（設定内圧の低下または上昇）、タイヤローテーションの頻度増加、棄却溝の管理を含む。
【発明の効果】
【００１０】
本発明の特徴によれば、運輸業者の車両など、多数のタイヤがほぼ同一の環境下において使用される場合において、タイヤの寿命を延ばすために当該タイヤに共通な対応策を提示できるタイヤ管理装置及びタイヤ管理プログラムを提供することができる。
【図面の簡単な説明】
【００１１】
【図１】本発明の実施形態に係るタイヤ管理装置２００を含むタイヤ管理システム５０の全体概略構成図である。
【図２】本発明の実施形態に係るタイヤ管理装置２００の機能ブロック構成図である。
【図３】本発明の実施形態に係る使用中タイヤＤＢ２０５及び使用済タイヤＤＢ２０７の一例を示す図である。
【図４】本発明の実施形態に係る対応策ＤＢ２１１の一例を示す図である。
【図５】本発明の実施形態に係るタイヤ管理装置２００の動作フローを示す図である。
【図６】本発明の実施形態に係る対応策出力部２１５によって出力される対応策の一例を示す図である。
【発明を実施するための形態】
【００１２】
次に、本発明に係るタイヤ管理装置の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１３】
したがって、具体的な寸法などは以下の説明を参酌して判断すべきである。また、図面相互間においても互いの寸法の関係や比率が異なる部分が含まれ得る。
【００１４】
（１）タイヤ管理装置を含むタイヤ管理システムの全体概略構成
図１は、本実施形態に係るタイヤ管理装置２００を含むタイヤ管理システム５０の全体概略構成図である。図１に示すように、タイヤ管理システム５０は、測定ツール１００とタイヤ管理装置２００とによって構成される。
【００１５】
測定ツール１００は、車両３１〜車両３３に装着されている使用中タイヤ２０の残溝深さや内圧を測定することができる。測定ツール１００は、測定した残溝深さや内圧のデータを無線通信により、タイヤ管理装置２００に送信することができる。なお、測定した残溝深さや内圧のデータを、無線通信ではなく、有線による通信でタイヤ管理装置２００に送信してもよい。また、ＳＤカード等の記録媒体によってタイヤ管理装置２００にデータの受け渡しを行ってもよい。
【００１６】
タイヤ管理装置２００は、車両３１〜車両３３に装着されて一定期間（距離）使用された使用済タイヤ１０の摩耗状態などに基づいて決定された使用済タイヤ１０の診断結果と、車両３１〜車両３３に現在装着されている使用中タイヤ２０の摩耗状態などに基づいて決定された使用中タイヤ２０の診断結果とに基づいて、好ましい使用中タイヤ２０の管理方法を提示する。
【００１７】
車両３１〜車両３３は、特定の運輸業者が使用するトラックやバスの大型自動車である。車両３１〜車両３３は、原則として同一環境で使用される。なお、「同一環境」とは、設定内圧やタイヤローテーションの頻度が同等であること、積載重量や走行路線（高速道路主体、一般道路主体、未舗装路などの悪路主体）が同等であることを意味する。
【００１８】
使用済タイヤ１０は、車両３１〜車両３３に装着されて使用された結果、使用限界と判断されたタイヤである。つまり、使用済タイヤ１０は、例えば、使用済タイヤ１０には、トレッドの残溝深さが規定値（３．２ｍｍまたは１．６ｍｍ）以下の使用限界となり、車両３１〜車両３３から取り外されたタイヤや、タイヤサイド部のカットなどの外傷によって使用不可と判断され、車両３１〜車両３３から取り外されたタイヤが含まれる。
【００１９】
本実施形態では、使用済タイヤ１０のそれぞれについて、残溝深さ、偏摩耗状態、外傷の有無（トレッド部及びタイヤサイド部）、ビードの状態及び廃棄理由が点検される。これらの点検は、作業者の目視によって行われる。なお、点検項目の一部（残溝深さ）は、測定ツール１００を用いて取得することもできる。作業者は、取得した使用済タイヤ１０の点検データをタイヤ管理装置２００に入力する。
【００２０】
使用中タイヤ２０は、車両３１〜車両３３に現在装着されているタイヤである。本実施形態では、使用中タイヤ２０のそれぞれについて、残溝深さ、偏摩耗状態、外傷の有無（トレッド部及びタイヤサイド部）、設定内圧（使用中タイヤ２０に充填されている気体の圧力）、タイヤローテーションの頻度及び車両へのタイヤ装着時からの走行距離が点検される。作業者は、取得した使用中タイヤ２０の点検データをタイヤ管理装置２００に入力する。なお、タイヤ管理装置２００は、点検項目の一部（残溝深さ及び内圧）のデータを測定ツール１００から取得する。
【００２１】
また、タイヤ管理装置２００は、車両３１〜車両３３の識別番号、車輪配列、走行路線、燃費などを取得することもできる。さらに、タイヤ管理装置２００は、使用済タイヤ１０及び使用中タイヤ２０のメーカー、サイズ、トレッドパターン及びシリアル番号などを取得することもできる。
【００２２】
（２）タイヤ管理装置の機能ブロック構成
図２は、タイヤ管理装置２００の機能ブロック構成図である。図２に示すように、タイヤ管理装置２００は、使用済タイヤ状態取得部２０１、使用中タイヤ状態取得部２０３、使用中タイヤＤＢ２０５、使用済タイヤＤＢ２０７、タイヤ状態判定部２０９、対応策ＤＢ２１１、対応策決定部２１３及び対応策出力部２１５を備える。
【００２３】
使用済タイヤ状態取得部２０１は、作業者が点検した使用済タイヤ１０の点検データを取得する。使用済タイヤ状態取得部２０１は、キーボード、マウス、及び測定ツール１００から送信される情報を受信する無線通信インタフェースなどのうち、作業環境に応じた適切なハードウェアが用いられる。使用済タイヤ状態取得部２０１は、４０本以上の使用済タイヤ１０について上述した点検データを取得することが好ましい。
【００２４】
このように、使用済タイヤ状態取得部２０１は、複数本数の使用済タイヤ１０の外観状態に基づいて決定された使用済タイヤ１０の診断結果を取得する。具体的には、使用済タイヤ状態取得部２０１は、使用済タイヤ１０の診断結果として、偏摩耗の状態（センター摩耗、肩落ち摩耗、ヒール＆トゥ摩耗など）、トレッド部の外傷の有無、プライエンドのセパレーションの有無、及びビードの食い込み、倒れ込みを取得する。この診断結果は、作業者の目視によって診断されたものである。「ビードの食い込み」とは、ビードの側部がリムフランジに食い込むような状態をいう。また、「ビードの倒れ込み」とは、ビードがリムフランジよりもタイヤ幅方向外側（または内側）に倒れた状態をいう。なお、使用済タイヤ状態取得部２０１は、測定ツール１００が測定する残溝のデータに基づいて、測定ツール１００が偏摩耗の状態などを判定していもよい。
【００２５】
使用中タイヤ状態取得部２０３は、作業者が点検した使用中タイヤ２０の点検データを取得する。使用中タイヤ状態取得部２０３は、キーボード、マウス及び測定ツール１００から送信される情報（残溝深さ及び設定内圧）を受信する無線通信インタフェースなどのうち、作業環境に応じた適切なハードウェアが用いられる。使用中タイヤ状態取得部２０３は、車両３１〜車両３３に現在装着されている使用中タイヤ２０の７０％以上について、使用中タイヤ２０の設定内圧を含む上述した点検データを取得することが好ましい。
【００２６】
このように、使用中タイヤ状態取得部２０３は、使用済タイヤ状態取得部２０１と同様に、複数本数の使用中タイヤ２０の外観状態に基づいて決定された使用中タイヤ２０の診断結果を取得する。具体的には、使用中タイヤ状態取得部２０３は、使用中タイヤ２０の診断結果として、偏摩耗の状態（センター摩耗、肩落ち摩耗、ヒール＆トゥ摩耗など）及びトレッド部の外傷の有無を取得する。この診断結果は、作業者の目視によって診断されたものである。なお、測定ツール１００が測定する残溝及び設定内圧のデータに基づいて、測定ツール１００が偏摩耗の状態を判定していもよい。
【００２７】
また、使用中タイヤ状態取得部２０３は、使用中タイヤ２０の使用条件を取得することもできる。なお、「使用条件」には、設定内圧、タイヤローテーションの頻度及び車両へのタイヤ装着時からの走行距離が含まれる。
【００２８】
使用中タイヤＤＢ２０５は、使用中タイヤ状態取得部２０３によって取得された点検データによって構成される。図３（ａ）は、使用中タイヤＤＢ２０５の一例を示す。使用中タイヤＤＢ２０５では、残溝深さ及び外観などのデータで構成される。残溝深さは、車両装着外側から内側に向かう複数箇所において測定された値が保持される。また、外観には、偏摩耗の種類（センター摩耗、ヒール＆トゥ摩耗及び肩落ち摩耗など）、及び外傷の有無などが含まれる。
【００２９】
なお、使用中タイヤ２０では、「ビードの状態」（食い込み、倒れ込み）を点検することができないため、使用中タイヤＤＢ２０５では、当該項目には何らデータが含まれない。また、「廃棄理由」についても該当しないため、使用中タイヤＤＢ２０５では、当該項目にも何らデータが含まれない。なお、図中の「−」は、当該項目が対象外であること、「×」は、当該項目に該当することを示す。
【００３０】
使用済タイヤＤＢ２０７は、使用済タイヤ状態取得部２０１によって取得された点検データによって構成される。図３（ｂ）は、使用済タイヤＤＢ２０７の一例を示す。使用済タイヤＤＢ２０７の構成は、使用中タイヤＤＢ２０５の構成と概ね同様であるが、「ビードの状態」及び「廃棄理由」がさらに含まれる。
【００３１】
一方、使用済タイヤ１０では、「設定内圧」を点検することができないため、使用済タイヤＤＢ２０７では、当該項目には何らデータが含まれない。
【００３２】
このように、使用済タイヤＤＢ２０７は、車両３１〜車両３３に装着されて使用された結果、使用限界と判断されて車両３１〜車両３３（及びリムホイール）から取り外された複数本数の使用済タイヤ１０の外観状態に基づいて決定された使用済タイヤ１０の診断結果が含まれる。
【００３３】
タイヤ状態判定部２０９は、使用済タイヤＤＢ２０７に含まれる使用済タイヤ１０の診断結果と、使用中タイヤ状態取得部２０３によって取得され、使用中タイヤＤＢ２０５に含まれる使用中タイヤ２０の診断結果とが一致するか否かを判定する。
【００３４】
具体的には、タイヤ状態判定部２０９は、使用済タイヤ１０の偏摩耗状態と、使用中タイヤ２０の偏摩耗状態とに基づいて、両方の偏摩耗状態が一致するか否かを判定する。ここで、タイヤ状態判定部２０９は、複数本数（４０本以上が好ましい）の使用済タイヤ１０に基づいて、本数の最も多い偏摩耗（例えば、センター摩耗）を、使用済タイヤ１０の偏摩耗状態とする。同様に、タイヤ状態判定部２０９は、車両３１〜車両３３に装着されている複数本数の使用中タイヤ２０に基づいて、本数の最も多い偏摩耗を、使用中タイヤ２０の偏摩耗状態とする。
【００３５】
また、タイヤ状態判定部２０９は、同一のタイヤサイズ毎に、上述した偏摩耗状態が一致するか否かを判定してもよい。或いは、タイヤ状態判定部２０９は、使用中タイヤ２０の使用条件毎に、上述した偏摩耗状態が一致するか否かを判定してもよい。
【００３６】
さらに、タイヤ状態判定部２０９は、使用済タイヤ１０の診断結果と、使用中タイヤ２０の診断結果とに基づいて、使用中タイヤ２０の寿命を短くする原因を予測することもできる。具体的には、タイヤ状態判定部２０９は、使用済タイヤ１０及び使用中タイヤ２０の診断結果と、当該診断結果から推測される原因（仮説）との関連付けに基づいて、使用中タイヤ２０の寿命を短くする原因を予測する。本実施形態では、タイヤ状態判定部２０９は、対応策ＤＢ２１１に基づいて使用中タイヤ２０の寿命を短くする原因を予測する。
【００３７】
図４は、対応策ＤＢ２１１の一例を示す。図４に示すように、対応策ＤＢ２１１では、使用済タイヤ１０及び使用中タイヤ２０の診断結果（例えば、センター摩耗）と、使用中タイヤ２０の寿命を短くする原因（例えば、高内圧）と、当該原因に対応した対応策（内圧管理）とが対応が関連付けられている。
【００３８】
タイヤ状態判定部２０９は、対応策ＤＢ２１１に基づいて、使用済タイヤ１０の診断結果と使用中タイヤ２０の診断結果とから当該原因を判定する。具体的には、診断結果が「センター摩耗」の場合、原因として「高内圧」及び「ローテーション不足」が関連付けられる。また、対応策として「内圧管理」（設定内圧を低下）が「高内圧」と関連付けられ、「ローテーション頻度増加」が「ローテーション不足」と関連付けられる。
【００３９】
診断結果が「外傷（トレッド部）」の場合、原因として「高内圧」及び「使用過多」が関連付けられる。また、対応策として「ローテーション頻度増加」が「使用過多」と関連付けられる。これにより、使用中タイヤ２０が使用過多の状態になることを回避し得る。なお、残溝深さが３．２ｍｍ（または１．６ｍｍ）以下であれば、「使用過多」と判定されるようにしてもよい。
【００４０】
診断結果が「パンク多発」の場合、原因として「高内圧」が関連付けられる。また、「パンク多発」の原因として非舗装路などの悪路走行を関連付けてもよい。この場合、車両３１〜車両３３の走行路線などを取得しておく必要がある。さらに、悪路走行が多い場合には、車両３１〜車両３３の使用者（運輸業者）への注意喚起や、車両３１〜車両３３に装着されるトレッドパターンの変更を提案してもよい。
【００４１】
一方、診断結果が「肩落ち摩耗、ヒール＆トゥ摩耗、波状摩耗」などの低内圧起因摩耗の場合、原因として「低内圧」及び「ローテーション不足」が関連付けられる。また、対応策として「内圧管理」（設定内圧を上昇）が「低内圧」と関連付けられ、「ローテーション頻度増加」が「ローテーション不足」と関連付けられる。
【００４２】
診断結果が「外傷（タイヤサイド部）、プライエンドのセパレーション、ビード倒れ込み」の場合、原因として「低内圧」及び「過荷重」が関連付けられる。また、対応策として「内圧管理」（設定内圧を上昇）が「低内圧」と関連付けられ、「ローテーション頻度増加」が「過荷重」と関連付けられる。これにより、使用中タイヤ２０が過荷重による劣化を抑制し得る。
【００４３】
また、タイヤ状態判定部２０９は、使用済タイヤ１０の診断結果と、使用中タイヤ２０の診断結果と、使用中タイヤ２０の使用条件（設定内圧やタイヤローテーションの頻度など）とに基づいて、原因を判定することもできる。具体的には、タイヤ状態判定部２０９は、複数の原因が判定された場合、使用中タイヤ２０の使用条件に基づいて原因を絞り込む。
【００４４】
例えば、タイヤ状態判定部２０９は、使用済タイヤ１０及び使用中タイヤ２０の診断結果が「センター摩耗」であり、判定した原因が「高内圧」と「タイヤローテーション不足」である場合（図４参照）において、使用中タイヤ２０のタイヤローテーションは適切に実施されており、設定内圧が高内圧である場合、「高内圧」を原因として選択する。また、使用済タイヤ１０及び使用中タイヤ２０の診断結果が「センター摩耗」であり、判定した原因が「高内圧」と「タイヤローテーション不足」である場合において、使用中タイヤ２０の内圧管理は適切に実施されており、タイヤローテーションが不足している場合、「タイヤローテーション不足」を原因として選択する。
【００４５】
このように、タイヤ状態判定部２０９は、使用済タイヤ１０及び使用中タイヤ２０の診断結果と、判定した複数の原因とに基づいて、当該原因の何れかに絞り込むことができる。      
【００４６】
また、タイヤ状態判定部２０９は、使用済タイヤ１０の診断結果と、使用中タイヤ２０の診断結果とが一致しない場合、車両特有或いはタイヤ特有の原因による結果と判定し、車両特有或いはタイヤ特有の原因による結果である可能性が高いことを示す情報を対応策出力部２１５から出力させる。
【００４７】
対応策決定部２１３は、使用済タイヤ１０の診断結果と使用中タイヤ２０の診断結果とがタイヤ状態判定部２０９によって一致すると判定された場合、対応策ＤＢ２１１に基づいて、使用済タイヤ１０の診断結果と関連付けられている対応策を決定する。例えば、対応策決定部２１３は、タイヤ状態判定部２０９による診断結果と、対応策ＤＢ２１１（図４参照）とに基づいて、設定内圧の管理またはタイヤローテーション頻度増加（棄却溝の管理を含む）の何れかの対応策を決定する。
【００４８】
なお、高内圧（低内圧）が原因と判定された場合には、これまでよりも設定内圧を低下（上昇）させる内圧管理方法が対応策として提示される。また、タイヤローテーションの頻度増加が対応策として決定された場合、偏摩耗を確実に抑制するため、棄却溝の管理が合わせて提示される。なお、棄却溝とは、使用中タイヤ２０が使用限界として棄却される時点の溝深さである。
【００４９】
対応策出力部２１５は、対応策決定部２１３によって決定された対応策を出力する。具体的には、対応策出力部２１５は、当該対応策をタイヤ管理装置２００のディスプレイ（不図示）に表示したり、プリンタ（不図示）に出力したりすることができる。
【００５０】
図６は、対応策出力部２１５によって出力される対応策の一例を示す。なお、図６に示す例では、対応策に加えて、摩耗状況、内圧分布及び原因が含まれているが、これらの内容は、含まれていなくても構わない。
【００５１】
（３）タイヤ管理装置の動作
図５は、上述したタイヤ管理装置２００の動作フローを示す。具体的には、図５は、タイヤ管理装置２００が使用済タイヤ１０及び使用中タイヤ２０の診断結果などに基づいて、使用中タイヤ２０の寿命を延ばすことに寄与する対応策を表示する動作フローを示す。
【００５２】
図５に示すように、ステップＳ１０において、タイヤ管理装置２００は、使用済タイヤ１０の診断結果（点検データ）を取得する。上述したように、タイヤ管理装置２００は、使用済タイヤ１０の偏摩耗の状態やトレッドの外傷の有無などを取得する。
【００５３】
ステップＳ２０において、タイヤ管理装置２００は、使用中タイヤ２０の診断結果（点検データ）を取得する。タイヤ管理装置２００は、使用済タイヤ１０と同様に、使用中タイヤ２０の偏摩耗の状態やトレッドの外傷の有無などを取得する。
【００５４】
ステップＳ３０において、タイヤ管理装置２００は、使用中タイヤ２０の使用条件を取得する。上述したように、タイヤ管理装置２００は、使用中タイヤ２０の設定内圧及びタイヤローテーションの頻度を取得する。
【００５５】
ステップＳ４０において、タイヤ管理装置２００は、使用済タイヤ１０及び使用中タイヤ２０について、管理に必要な本数分の点検データを取得したかを判定する。具体的には、タイヤ管理装置２００は、使用済タイヤ１０について４０本以上、使用中タイヤ２０の７０％以上について、点検データを取得することが好ましい。
【００５６】
管理に必要な本数分の点検データを取得した場合（ステップＳ４０のＹＥＳ）、ステップＳ５０において、タイヤ管理装置２００は、使用済タイヤ１０の診断結果と、使用中タイヤ２０の診断結果とを比較する。例えば、タイヤ管理装置２００は、使用済タイヤ１０の診断結果としてセンター摩耗が最も多い場合、使用中タイヤ２０の診断結果としてセンター摩耗が最も多いか否かを判定する。また、タイヤ管理装置２００は、比較する診断結果として、外傷の有無など（図４参照）を用いることもできる。
【００５７】
ステップＳ６０において、タイヤ管理装置２００は、使用済タイヤ１０の診断結果と、使用中タイヤ２０の診断結果とが一致するか否かを判定する。
【００５８】
両方の診断結果が一致する場合（ステップＳ６０のＹＥＳ）、ステップＳ７０において、タイヤ管理装置２００は、使用済タイヤ１０の診断結果と、使用中タイヤ２０の診断結果とに基づいて、使用中タイヤ２０の寿命を短くする原因を予測する。具体的には、タイヤ管理装置２００は、対応策ＤＢ２１１（図４参照）に基づいて当該原因を予測する。
【００５９】
ステップＳ８０において、タイヤ管理装置２００は、予測した原因に応じた対応策を決定する。具体的には、タイヤ管理装置２００は、対応策ＤＢ２１１に基づいて対応策を決定する。例えば、ステップＳ７０において高内圧が原因として予測されていた場合、タイヤ管理装置２００は、対応策として内圧管理（設定内圧を低下）を選択する。
【００６０】
ステップＳ９０において、タイヤ管理装置２００は、決定した対応策（図６）をディスプレイに表示したり、プリンタに出力したりする。図４に示すように、タイヤ管理装置２００は、内圧管理またはローテーション頻度の増加を対応策として提示する。
【００６１】
内圧管理には、診断結果及び原因に応じて、設定内圧を低下または上昇させる方法が含まれる。合わせて、タイヤ管理装置２００は、内圧管理を実行すべき時期（頻度）及び設定内圧の数値も提示することができる。また、タイヤ管理装置２００は、使用中タイヤ２０の寿命を延ばすため、空気に代えて窒素を充填することを推奨することができる。
【００６２】
タイヤローテーション管理の場合、タイヤ管理装置２００は、タイヤローテーションを実行すべき時期（頻度）を提示することができる。
【００６３】
両方の診断結果が一致しない場合（ステップＳ６０のＮＯ）、ステップＳ１００において、タイヤ管理装置２００は、車両特有或いはタイヤ特有の原因による結果と判定し、車両特有或いはタイヤ特有の原因による結果である可能性が高いことを表示する。
【００６４】
（４）作用・効果
以上説明したタイヤ管理装置２００によれば、使用済タイヤ１０の診断結果と、使用中タイヤ２０の診断結果とに基づいて、両方の診断結果が一致するか否かを判定される。さらに、両方の診断結果が一致すると判定された場合、偏摩耗などを抑制し、使用中タイヤ２０の寿命を延ばす対応策が提示される。
【００６５】
このため、運輸業者の車両など、多数のタイヤがほぼ同一の環境下において使用される場合において、タイヤの寿命を延ばすために当該タイヤに共通な対応策を提示できる。
【００６６】
このような対応策に従えば、使用中タイヤ２０の不具合を未然に防止でき、使用中タイヤ２０の寿命を確実に延ばすことが可能となる。したがって、車両３１〜車両３３を使用する運輸業者では、タイヤに係るコストを抑制できる。さらに、設定内圧が低内圧であったことが判明した場合には、設定内圧が適正化されることによって、車両３１〜車両３３の燃費も改善し得る。
【００６７】
また、このような対応策に従えば、使用中タイヤ２０の偏摩耗や使用過多を回避できるため、リトレッドタイヤの台タイヤの確保が容易となる。さらに、タイヤ管理装置２００に蓄積された使用済タイヤ１０の診断結果と、使用中タイヤ２０の診断結果とのデータベースは、新たなタイヤの研究・開発に活用できる。
【００６８】
本実施形態では、タイヤ管理装置２００において、使用済タイヤ１０及び使用中タイヤ２０の診断結果と、使用中タイヤ２０の寿命を短くする原因と、当該原因に対応した対応策とが関連付けられている。このため、診断結果に基づく原因が提示されるため、タイヤ管理装置２００のユーザは、当該原因に応じた独自の対応策などを検討することもできる。
【００６９】
本実施形態では、タイヤ管理装置２００において、使用済タイヤ１０及び使用中タイヤ２０の診断結果と使用中タイヤ２０の使用条件（設定内圧など）とに基づいて、使用中タイヤ２０の寿命を短くする原因が判定される。このため、当該原因を絞り込むことができる。
【００７０】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００７１】
例えば、上述した実施形態では、タイヤ管理装置２００が使用中タイヤ２０の使用条件に基づいて原因を絞り込んでいたが、このような使用条件は必須ではない。また、上述した実施形態では、タイヤ管理装置２００では、使用済タイヤ１０及び使用中タイヤ２０の診断結果と、使用中タイヤ２０の寿命を短くする原因と、当該原因に対応した対応策とが関連付けられていたが、診断結果と対応策が直接関連付けられていてもよい。つまり、使用済タイヤ１０の診断結果と、使用済タイヤ１０の診断結果に対応した対応策とが関連付けられた対応策データベースとしてもよい。
【００７２】
また、上述した実施形態では、タイヤ管理装置２００に使用中タイヤＤＢ２０５が設けられていたが、使用中タイヤＤＢ２０５を設けずに、使用中タイヤＤＢ２０５と使用済タイヤＤＢ２０７とを同一のデータベースとして構築しても構わない。
【００７３】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００７４】
１０…使用済タイヤ、２０…使用中タイヤ、３１〜３３…車両、５０…タイヤ管理システム、１００…測定ツール、２００…タイヤ管理装置、２０１…使用済タイヤ状態取得部、２０３…使用中タイヤ状態取得部、２０５…使用中タイヤＤＢ、２０７…使用済タイヤＤＢ、２０９…タイヤ状態判定部、２１１…対応策ＤＢ、２１３…対応策決定部、２１５…対応策出力部
【図１】
0005385848.tif 000002
【図２】
0005385848.tif 000003
【図３】
0005385848.tif 000004
【図４】
0005385848.tif 000005
【図５】
0005385848.tif 000006
【図６】
0005385848.tif 000007